(57)【要約】      （修正有）【課題】コマセを必要に応じて少量ずつ水中に放出できるようにし，また付けエサを任意の携帯で装着することのできる遠投カゴ釣り用の反転コマセカゴを提供する。【解決手段】籠の上面（水中での使用時には底面となる）にコマセの大きさに応じた格子状のゲート５を設け、また籠の側面に付けエサ用の籠２を設ける。コマセカゴ１にコマセの大きさに合わせたゲート５を設けることにより、コマセが一気に放出されることを防ぎ、釣り人の意思に応じて徐々にコマセを放出させることを可能にし、また、付けエサを遠投時の衝撃から保護することによって理想的な形態で付けエサをつけることを可能とする。【選択図】図１
0003162177.tif 000002
【実用新案登録請求の範囲】
【請求項１】
籠の上面（水中での使用時には底面となる）コマセ（撒餌）の大きさに合わせたゲートを設けることを特徴とすることにより，水中に到達後もコマセが一気に放出されることを防いだ遠投カゴ釣り用のコマセカゴ。
【請求項２】
請求項１に記載したコマセカゴにおいて，釣り人のシャクリ（竿をあおってエサを踊らせる動作）の動作に応じて必要な分量のコマセを水中に放出することを可能にした遠投カゴ釣り用のコマセカゴ。
【請求項３】
籠の側面（籠の内部，外部を問わない）に付けエサ専用の籠を別途設けることにより，遠投時の衝撃が付けエサに及ばないことから，耐衝撃性を意識せず，任意の形態でエサをつけることを可能にし，籠と針が絡み合うことを防止した遠投カゴ釣り用のコマセカゴ。
【考案の詳細な説明】
【技術分野】
【０００１】  本考案は，遠投カゴ釣り（釣りの仕掛けにコマセ（撒餌）のための籠を付けて行う釣りの方法）用の，コマセを入れて水中に投入するためのコマセカゴとしての釣り用品に関するものである。
【背景技術】
【０００２】  従来のカゴ釣り用反転式コマセカゴは，コマセを入れる金属等でできた籠に，水中でカゴを反転させるための反転軸が設けられ，籠の側面に付けエサ用の曲げ金具が取り付けられているという構造になっている。図４は従来品コマセカゴを上方から見た平面図，図５は同横から見た平面図である。なお，付けエサ用曲げ金具のないものもある。
【考案の概要】
【考案が解決しようとする課題】
【０００４】  従来品のコマセカゴは，水中の棚（魚の遊泳層）に到達後，コマセが一気に放出されてしまい，コマセの出る量を調節することが困難であるという問題点があった。【０００５】  カゴ釣りではコマセの入ったコマセカゴを遠方の水面に投げる動作が必要であるが，付けエサをつけた針を側面の曲げ金具に取り付けた場合，コマセカゴを投げる際の衝撃によって，付けエサが変形したり，脱落したり，あるいは針と籠が絡まったりするなどの問題が発生していた。また，付けエサを，投げる際の衝撃に耐え得るように金具に取り付ける必要があることから，付け方が限定され，水中において理想的な形態でエサをつけることが難しいという問題点があった。【０００６】  また，付けエサ用曲げ金具のない反転式コマセカゴの場合，籠の中に付けエサをつけた針をコマセと一緒に入れて使用するので，付けエサが遠投時の影響を受けることは少ないものの，針が籠に引っかかるという問題点があった。
【課題を解決するための手段】
【０００７】  本考案は，コマセカゴにコマセの大きさに合わせたゲートを設けることにより，コマセが一気に放出されることを防ぎ，釣り人の意思に応じて徐々にコマセを放出させることを可能にし，また，付けエサを遠投時の衝撃から保護することによって理想的な形態で付けエサをつけることを可能とするためのものである。【０００８】  以下本考案について図面を参照しながら詳細に説明する。図１は考案品コマセカゴを上方から見た平面図，図２は同横から見た平面図である。図１及び２の１はコマセを入れる籠である。籠はナイロン糸，金属線，金属板，プラスチック等で作られ，籠の胴部分は隙間があってもなくてもよい。籠の底部分には，釣糸を引いて回収する際に水の抵抗を受け，回収性を阻害することを避けるため，コマセが脱落しない程度の隙間を設ける。【０００９】  籠の上面に，ナイロン糸，ゴム，あるいは金属線等の材料で，格子状のゲートを取り付ける。ゲートの設け方は，籠に入れるコマセの大きさによって異なる。コマセがごく小さいものの場合（アミなど），目の細かいゲートを設ける。逆にコマセがある程度の大きさを有する場合（オキアミなど），ゲートは粗目でよい。図１の５は粗めのゲートを設置した実施例である。【００１０】  籠の側面に，図１及び２における２で示したような，付けエサカゴを設ける。付けエサカゴの素材は，針やエサが引っかかることのないよう，金属板やプラスチックを用いるのが相応しい。また，籠の側面であれば，籠の内側に設けても外側に設けてもよい。図１及び図２は籠の外側に付けエサカゴを設けた実施例，図３は籠の内側に設けた実施例である。【００１１】  従来品のコマセカゴと同じく，籠の周囲に反転軸やおもりを設ける。いずれも図１及び２で示すとおりである。
【考案の効果】
【００１２】  本考案により，籠にコマセの大きさに合わせたゲートを設けたコマセカゴが実現する。これによって，従来品の問題点であった，棚に到達後にコマセが一気に放出されることを防ぐ。加えて，シャクリ（竿をあおってエサを踊らせる動作）の動作をすることにより，釣り人の意思に応じて，少量ずつコマセを水中に放出することができるので，希望するポイント（魚が群生する，釣果の上がる箇所）に仕掛けが到達するまでコマセを籠の中に保ち，当該ポイントに到達した時点でコマセを放出することが可能になる。これにより，任意のポイントにおいて，水中に付けエサと同調させたコマセの帯を形成することが可能になる。【００１３】  また，籠の内部または側面に付けエサ用の籠を別に設けることにより，付けエサを遠投時の衝撃から保護することができるので，耐衝撃性を重視することなく，任意の理想的な形態で付けエサをつけることが可能になり，遠投時に付けエサが脱落するようなことも生じない。また，針が籠に引っかかることもない。
【図面の簡単な説明】
【図１】  考案の実施例（付けエサカゴを籠の外部に設置したもの）を上部から示した平面図である。
【図２】  考案の実施例（付けエサカゴを籠の外部に設置したもの）を横から示した平面図である。
【図３】  考案の実施例（付けエサカゴを籠の内部に設置したもの）を上部から示した平面図である。
【図４】  従来品反転式コマセカゴを上部から示した平面図である。
【図５】  従来品反転式コマセカゴを横から示した平面図である。
【符号の説明】〔図１〕
１  コマセカゴ
２  付けエサカゴ
３  反転軸
４  錘
５  ゲート
〔図２〕
１  コマセカゴ
２  付けエサカゴ
３  反転軸
４  錘
５  ゲート
６  サルカン
〔図３〕
１  コマセカゴ
２  付けエサカゴ
３  反転軸
４  錘
５  ゲート
〔図４〕
１  コマセカゴ
３  反転軸
４  錘
７  付けエサ用曲げ金具
〔図５〕
１  コマセカゴ
３  反転軸
４  錘
６  サルカン
７  付けエサ用曲げ金具
【図１】
0003162177.tif 000003
【図２】
0003162177.tif 000004
【図３】
0003162177.tif 000005
【図４】
0003162177.tif 000006
【図５】
0003162177.tif 000007
【手続補正書】
【提出日】平成22年5月24日(2010.5.24)
【手続補正１】
【補正対象書類名】実用新案登録請求の範囲
【補正対象項目名】全文
【補正方法】変更
【補正の内容】
【実用新案登録請求の範囲】
【請求項１】
籠の上面（水中での使用時には底面となる）に，コマセ（撒餌）の大きさに合わせたゲートを設け，籠の側面（籠の内部，外部を問わない）に付けエサ専用の籠を持つことを特徴とする遠投カゴ釣り用のコマセカゴ。